(57)【要約】【課題】原稿を出し入れしても、無駄な消費電力を発生させないようにすることが可能な画像読取装置を提供する。【解決手段】本開示の一態様にかかる画像読取装置（2）は、原稿を読み取る読取手段（20）と、原稿を置く原稿台と、原稿台の所定の位置に原稿が置かれたことを検出する第１の検出手段（S0）と、第１の検出手段（S0）で検出された原稿を搬送する搬送手段（24）と、搬送手段（24）によって搬送された原稿を検出する第２の検出手段（S5）と、第２の検出手段（S5）が原稿を検出した場合に、読取手段（20）に電源を供給する電源供給手段と、を備える。【選択図】図１
2014138237.tif 000002
【特許請求の範囲】
【請求項１】
原稿を読み取る読取手段と、
前記原稿を置く原稿台と、
前記原稿台の所定の位置に前記原稿が置かれたことを検出する第１の検出手段と、
前記第１の検出手段で検出された前記原稿を搬送する搬送手段と、
前記搬送手段によって搬送された前記原稿を検出する第２の検出手段と、
前記第２の検出手段が前記原稿を検出した場合に、前記読取手段に電源を供給する電源供給手段と、
を備えることを特徴とする画像読取装置。
【請求項２】
前記搬送手段は、前記第１の検出手段で前記原稿を検出した所定時間後に、前記原稿を搬送する、ことを特徴とする請求項１記載の画像読取装置。
【請求項３】
前記原稿の搬送方向の上流側から下流側に向かって前記第１の検出手段、前記第２の検出手段、前記読取手段の順に配置されている、ことを特徴とする請求項１または請求項２記載の画像読取装置。
【請求項４】
前記読取手段が前記原稿を読み取って画像データを生成する際に使用する複数の設定情報を前記読取手段に設定する設定手段を有し、
前記設定手段は、
前記電源供給手段により前記読取手段に電源を供給した後は、一部の設定情報を前記読取手段に設定する、ことを特徴とする請求項１から請求項３の何れか１項に記載の画像読取装置。
【請求項５】
前記電源供給手段により前記読取手段に電源を供給するタイミングを制御する制御手段を有することを特徴とする請求項１から請求項４の何れか１項に記載の画像読取装置。
【請求項６】
原稿を読み取る原稿読取部と、前記原稿読取部で読み取った前記原稿の画像を形成する画像形成部と、を有する画像形成装置であって、
前記原稿読取部は、
原稿を読み取る読取手段と、
前記原稿を置く原稿台と、
前記原稿台の所定の位置に前記原稿が置かれたことを検出する第１の検出手段と、
前記第１の検出手段で検出された前記原稿を搬送する搬送手段と、
前記搬送手段によって搬送された前記原稿を検出する第２の検出手段と、
前記第２の検出手段が前記原稿を検出した場合に、前記読取手段に電源を供給する電源供給手段と、
を備えることを特徴とする画像形成装置。
【請求項７】
原稿を読み取る読取手段と、前記原稿を置く原稿台と、を有する画像読取装置で行う制御方法であって、
前記原稿台の所定の位置に原稿が置かれたことを検出する第１の検出工程と、
前記第１の検出工程で検出された前記原稿を搬送する搬送工程と、
前記搬送工程によって搬送された前記原稿を検出する第２の検出工程と、
前記第２の検出工程で前記原稿を検出した場合に、前記読取手段に電源を供給する電源供給工程と、
を有することを特徴とする制御方法。
【発明の詳細な説明】
【技術分野】
【０００１】
本開示は、原稿を読み取る画像読取装置の技術に関する。
【背景技術】
【０００２】
デジタル複合機やMFP（Multifunction Peripheral）と呼ばれる画像形成装置は、スキャナ部やプロッタ部などのいくつかの機能的なまとまりを有している。このため、各部への電源供給のON/OFFを制御する制御手段を有し、画像形成装置の消費電力の抑制を図ることが行われている。
【０００３】
例えば、特許文献１（特開2006-217075号公報）には、消費電力を削減する目的で、原稿の読み取りや画像の書込みに必要な場合にのみ、スキャナ部及び画像書込部へ電源を供給する技術について開示されている。
【０００４】
また、特許文献２（特開2011−215595号公報）には、スキャナ部に電源が供給された後に行うスキャナ部の初期設定を複数備え、短期変動時と長期変動時とでスキャナ部の初期設定を変える技術について開示されている。
【発明の概要】
【発明が解決しようとする課題】
【０００５】
特許文献２では、短期変動時と長期変動時とでスキャナ部の初期設定を変えることで、スキャナ部の初期設定の時間短縮を図ることにしている。特許文献２では、スキャナ部の読取部への電源供給を原稿挿入検知部で行っている。読取部は、原稿を読み取る。原稿挿入検知部は、原稿台に原稿が挿入されたか否かを検出する。特許文献２では、原稿挿入検知部が原稿を検知した場合に、読取部への電源供給を行っている。
【０００６】
しかし、特許文献２のように読取部への電源供給を原稿挿入検知部で行う場合は、ユーザが原稿を何度も出し入れしてしまうと、原稿挿入検知部が何度も原稿を検知してしまうことになる。その結果、読取部への電源供給のON/OFFを原稿挿入検知部の検知結果に応じて何度も繰り返してしまうことになる。
【０００７】
従って、読取部の電源を原稿挿入検知で行う方式の場合は、消費電力を無駄に使用したり、読取部への電源のON/OFFを切り換える電源切換部を劣化させやすくしてしまうことになる。
【０００８】
本開示の目的は、原稿を出し入れしても、無駄な消費電力を発生させないようにすることが可能な画像読取装置を提供することにある。
【課題を解決するための手段】
【０００９】
本開示の一態様にかかる画像読取装置は、
原稿を読み取る読取手段と、
前記原稿を置く原稿台と、
前記原稿台の所定の位置に前記原稿が置かれたことを検出する第１の検出手段と、
前記第１の検出手段で検出された前記原稿を搬送する搬送手段と、
前記搬送手段によって搬送された前記原稿を検出する第２の検出手段と、
前記第２の検出手段が前記原稿を検出した場合に、前記読取手段に電源を供給する電源供給手段と、
を備えることを特徴とする。
【発明の効果】
【００１０】
本開示の一態様によれば、原稿を出し入れしても、無駄な消費電力を発生させないようにすることができる。
【図面の簡単な説明】
【００１１】
【図１】画像形成装置100の全体構成例を示す図である。
【図２】スキャナ部2を上面から見た構成例を示す図である。
【図３】画像形成装置100のハード構成例を示す図である。
【図４】画像形成装置100の動作モード例を示す図である。
【図５】各動作モードへの状態遷移と省エネ状態との一例を示す図である。
【図６】スキャナ部2の動作手順例を示す図である。
【図７】初期設定Ａの処理手順例を示す図である。
【図８】初期設定Ｂの処理手順例を示す図である。
【発明を実施するための形態】
【００１２】
（本開示の一態様にかかる画像読取装置2の実施形態の概要）
まず、図１、図３を参照しながら、本開示の一態様にかかる画像読取装置2の概要について説明する。図１、図３は、本開示の一態様にかかる画像読取装置2の概略構成例を示す。画像読取装置2は、スキャナ部2が機能する。
【００１３】
本開示の一態様にかかる画像読取装置2は、読取手段20と、原稿台と、第１の検出手段S0と、搬送手段24と、第２の検出手段S5と、電源供給手段26と、を有して構成する。
【００１４】
読取手段20は、原稿を読み取る。読取手段20は、CIS20が機能する。原稿台は、原稿を置く台である。第１の検出手段S0は、原稿台の所定の位置に原稿が置かれたことを検出する。第１の検出手段S0は、原稿挿入センサS0が機能する。搬送手段24は、第１の検出手段S0で検出された原稿を搬送する。搬送手段24は、原稿搬送モータ24が機能する。第２の検出手段S5は、搬送手段24によって搬送された原稿を検出する。第２の検出手段S5は、原稿レジストセンサS5が機能する。電源供給手段26は、第２の検出手段S5が原稿を検出した場合に、読取手段CIS20に電源を供給する。電源供給手段26は、図３に示す電源切換部26が機能する。
【００１５】
本開示の一態様にかかる画像読取装置2は、原稿台の所定の位置に原稿が置かれたことを第１の検出手段S0で検出する工程を行う。そして、上記工程で検出された原稿を搬送手段24で搬送する工程を行う。そして、上記工程で搬送された原稿を第２の検出手段S5で検出する工程を行う。そして、上記工程で原稿を検出した場合に、読取手段20に電源を供給する工程を行う。これにより、ユーザが原稿を原稿台に挿入しても、読取手段20に電力供給が行われないため、ユーザが原稿の出し入れを何度行っても、無駄な消費電力を発生させないようにすることができる。以下、添付図面を参照しながら、本開示の一態様にかかる画像読取装置2の実施形態について詳細に説明する。なお、以下の実施形態では、画像読取装置2としてスキャナ部2を例に説明する。また、スキャナ部2とプロッタ部1とを有する画像形成装置100を例として説明する。
【００１６】
＜画像形成装置100の構成例＞
まず、図１、図２を参照しながら、本実施形態の画像形成装置100の構成例について説明する。図１は、本実施形態の画像形成装置100の全体構成例を示す図である。図２は、スキャナ部2を上面から見た構成例を示す図である。
【００１７】
本実施形態の画像形成装置100は、主に、プロッタ部1とスキャナ部2とを有して構成している。スキャナ部2は、原稿を読み取る原稿読取部として機能する。プロッタ部1は、スキャナ部2で読み取った原稿の画像を形成する画像形成部として機能する。
【００１８】
プロッタ部1は、画像形成部60と給紙部40とを有している。給紙部40には２つのロール紙Pが主走査方向を軸にして巻き付けられている。ロール紙Pの数は１または３以上でもよく、ロール紙Pではなく、矩形状の用紙を給紙するための給紙トレイが給紙部40に搭載されていてもよい。
【００１９】
ロール紙Pの先端側には、給紙ローラ41a、41b、42a、42b、43が配置されている。ロール紙Pは、画像形成部60に向けて引き出され、給紙ローラ41a、41b、42a、42b、43で搬送された後、レジストローラ45まで搬送される。ロール紙Pは、排出口51の直前でカットされるまでつながった状態のままとなる。給紙ローラ41a、41b、42a、42b、43は、給紙モータ44により駆動される。
【００２０】
画像形成部60は、レジストローラ45、レジストモータ46、プラテン板52、ヘッド14、排紙ローラ48a、48b、49a、49b、カッター50、排出口51を有する。
【００２１】
ロール紙Pは、レジストローラ45によりプラテン板52まで搬送される。レジストローラ45は、レジストモータ46により駆動する。
【００２２】
プラテン板52には複数の穴が設けられていると共に、その下部にはプラテン板52上のロール紙Pを吸引する吸引FAN（図示せず）が配置されている。ロール紙Pは、複数の穴を介して吸引FANの吸引力によりプラテン板52上に吸いつけられることで、たわみ等が防止され平面が維持される。
【００２３】
ヘッド14は、プラテン板52の上部のキャリッジ47に搭載されている。キャリッジ47は、ロール紙Pの主走査方向に往復移動するので、移動中にヘッド14がプラテン板52上のロール紙Pに向かってインクの液滴を吐出することでロール紙Pに画像が形成される。このようなシリアル型でなく、主走査方向にヘッド14が配置されたライン型でも、スキャナ部2の消費電力の低減効果を図ることができる。また、インクジェット型の画像形成部60でなく、電子写真方式の画像形成部60を搭載してもよい。
【００２４】
画像が形成されたロール紙Pは、それぞれ対をなす排紙ローラ48a、48b、及び、49a、49bにより所定の位置まで搬送され、カッター50でカットされて排出口51から排出される。
【００２５】
スキャナ部2は、原稿スルー方式の紙送り機構を採用している。
【００２６】
スキャナ部2は、原稿台28、原稿挿入口29、密着センサ（以下、CIS: Contact Image Sensorという）20、原稿押さえ板30、原稿搬送ローラ31a、31b、を有している。原稿挿入口29は、原稿が挿入されるための口である。CIS20は、原稿を読み取る。CIS20は、コンタクトガラスの内側に配置される。原稿押さえ板30は、コンタクトガラス上の原稿を押さえる。原稿搬送ローラ31a、31bは、原稿を搬送する。原稿搬送ローラ31a、31bは、原稿搬送路に沿ってCIS20と原稿押さえ板30とを挟んで配置される。
【００２７】
CIS20は、原稿に読取光を照射してその反射光を光電変換して原稿の画像を読み取る。CIS20は、CCDやCMOSなどで構成してもよい。CIS20の照明は、LEDが好適である。
【００２８】
原稿挿入口29には、図２に示すように、センサS0〜S4が配置されている。センサS0は、原稿挿入口29に挿入された原稿を検出するセンサ（以下、原稿挿入センサS0という）である。原稿挿入センサS0は、画像形成装置100の主走査方向の略中央部に配置され、極端に小さいサイズでなければ挿入された原稿を検出できるようになっている。本実施形態では、原稿挿入口29に原稿が挿入された位置が、原稿台上の所定の位置とする。このため、原稿挿入センサS0は、原稿台の所定の位置に原稿が置かれたことを検出することになる。
【００２９】
原稿搬送面のコンタクトガラス内側には、原稿搬送ローラ31a、31bを駆動させて原稿Gを搬送させる原稿搬送モータ24が設けられている。原稿搬送面上部には、操作部23（図２では不図示）、原稿の搬送を停止する緊急停止キーS8が設けられている。
【００３０】
また、センサS1〜S4は、原稿サイズを検出するセンサ（以下、原稿サイズセンサS1〜S4という。）である。原稿サイズセンサS1〜S4は、原稿挿入センサS0よりも主走査方向の片側にだけ間隔を置いて配置されている。この間隔は原稿サイズに応じて調整されており、原稿サイズセンサS1〜S4のうちどれが原稿を検出するかにより、原稿サイズを特定できるようになっている。
【００３１】
原稿挿入センサS0の下流側には、原稿の副走査方向の幅である原稿幅信号を出力する原稿レジストセンサS5が配置され、原稿排出口32周囲のコンタクトガラス内側には原稿が排出されたことを検出する原稿排出センサS6が配置されている。
【００３２】
本実施形態のスキャナ部2は、原稿挿入センサS0、原稿レジストセンサS5、原稿排出センサS6を有しているため、原稿の位置を特定することができる。例えば、原稿挿入センサS0が原稿を検出した場合は、図２に示す原稿位置１に原稿が位置すると特定することができる。また、原稿レジストセンサS5が原稿を検出した場合は、図２に示す原稿位置２に原稿が位置すると特定することができる。また、原稿排出センサS6が原稿を検出した場合は、図２に示す原稿位置３に原稿が位置すると特定することができる。
【００３３】
本実施形態のスキャナ部2は、図１に示すように、原稿の搬送方向の上流側から下流側に向かって、原稿挿入センサS0、原稿レジストセンサS5、CIS20、原稿排出センサS6を有している。
【００３４】
なお、本実施形態のスキャナ部2は、原稿スルー方式として説明したが、それ以外の方式、例えば、ADF方式等でもスキャナ部2の消費電力の低減効果を図ることができる。
【００３５】
＜画像形成装置100のハード構成例＞
次に、図３を参照しながら、本実施形態の画像形成装置100のハード構成例について説明する。図３は、本実施形態の画像形成装置100のハード構成例を示す図である。
【００３６】
本実施形態の画像形成装置100は、既に述べたように、プロッタ部1とスキャナ部2とから構成されている。
【００３７】
プロッタ部1は、電源部10、システム制御部12、I/O部13、ヘッド14、画像書込処理部15、書込制御部16、外部I/F部17、メインSW11を有している。
【００３８】
電源部10は、外部の商用電源とメインSW11を介して接続されており、商用電源を整流及び電圧調整して所定の定電圧・定電流を生成し、スキャナ部2、システム制御部12、画像書込処理部15、書込制御部16、外部I/F部17に供給する。メインSW11は、商用電源から電源部10への電力の供給または遮断の切換を行う。
【００３９】
システム制御部12は、CPU121、メモリ122、タイマ123、電源切換信号出力部124を有する。CPU121は、メモリ122に記憶されたプログラム1221を実行して、システム制御部12の全体を制御する。プログラム1221は、記憶媒体またはネットワーク先のサーバから外部I/F部17を介してインストールされる。
【００４０】
タイマ123は、読取部70の電源が遮断されていた時間（以下、電力停止時間という）を計測する計測手段である。タイマ123は、バッテリなどで稼働しシステム制御部12に電力が供給されなくても読取部70の電力停止時間を計測している。タイマ123はカウンタのようなものでもよいし、図示しないRTCから読取部70への電源が遮断された時の時刻を取得して記憶し、その記憶されている時刻からの経過時間を算出してもよい。
【００４１】
電源切換信号出力部124は、CPU121の制御を受けて、電源切換信号を電源切換部26、27に送信して、読取部70への電力の供給と遮断とを切り換える。
【００４２】
外部I/F部17には、外部装置が接続され、システム制御部12の制御の下で外部装置との画像データの送受信を行う。外部装置としては、例えば、パーソナルコンピュータやサーバ等があげられる。外部I/F部17にはネットワークと接続するための通信装置が含まれる。
【００４３】
画像書込処理部15は、システム制御部12の制御下で、ロール紙Pに形成する画像データに画像処理を施す。スキャナ部2が読み取った画像データであれば、例えば、像域分離して文字部にはエッジ強調処理を行い、背景部には平滑化処理を行う。また、パーソナルコンピュータから送信された印刷データであればレンダリングしてラスタデータに変換し、文字や背景に適切な画像処理を行う。いずれの場合も画像書込処理部15は、所定のスクリーン線数のディザマトリックスにより画素毎の画素値に置き換える。
【００４４】
書込制御部16は、画像書込処理部15から出力された画像データをロール紙Pに書き込むため、ヘッド14の各ノズルを制御して適切なタイミングで適切なインク色をロール紙Pに吐出する。
【００４５】
また、I/O部13には、図１に示す給紙モータ44、レジストモータ46等が接続されている。
【００４６】
スキャナ部2は、第一の読取画像処理部21、第二の読取画像処理部22、原稿搬送モータ24、スキャナセンサ部25、CIS20を有する。なお、操作部23、第一の読取画像処理部21、第２の読取画像処理部22、原稿搬送モータ24（モータドライバ211）、スキャナセンサ部25には、電源部10から電力が供給される。
【００４７】
第一の読取画像処理部21は、電源切換部26、モータドライバ211、AFE（アナログフロントエンド）212、メモリ213を備えている。
【００４８】
AFE212は、アナログASIC2121を有する。電源切換部26は、AFE212、メモリ213、CIS20と接続されており、これらへの電力の供給/遮断を切り換える。なお、モータドライバ211は原稿搬送モータ24の駆動制御を行う。
【００４９】
第一の読取画像処理部21は、CIS20が読み取ったアナログの画像データをAFE212でノイズ除去、増幅等して、デジタル画像に変換（A/D変換）して第二の読取画像処理部22に出力する。
【００５０】
第二の読取画像処理部22は、電源切換部27、AFE221、メモリ222、ASIC223を備えている。電源切換部27は、AFE221、メモリ222、ASIC223と接続されており、これらへの電力の供給/遮断を切り換える。ASIC223は、シェーディング補正、γ補正、空間フィルタ（平滑，美文，ラプラシアン，メジアン，ランク，etc）、モワレ除去等、各種の画像処理を行う。
【００５１】
なお、消費電力低減のためにスキャナ部2が使用されない状態では、電源切換部26、27が電力を遮断することで、CIS20、第一の読取画像処理部21、第二の読取画像処理部22の少なくとも１つ以上に対する電力供給が遮断される。
【００５２】
CIS20、第一の読取画像処理部21、第二の読取画像処理部22が読取部70である。読取部70への電力供給が遮断されていても、スキャナセンサ部25と原稿搬送モータ24とには電源切換部26、27を介することなく電源部10から電力が供給される。なお、読取部70と同様に、原稿搬送モータ24やスキャナセンサ部25の電力供給を遮断してもよい。
【００５３】
操作部23は、ユーザが画像形成装置100を操作するためのキーを備えており、入力されたキーの識別情報がシステム制御部12に送信される。システム制御部12は、操作を受け付けて画像形成装置100の動作を制御する。画像形成装置100を操作するためのキーとしては、例えば、テンキー、コピースタートキー、モード設定キー等があげられる。
【００５４】
スキャナセンサ部25は、原稿挿入センサS0、原稿サイズセンサS1〜S4、原稿レジストセンサS5、原稿排出センサS6、緊急停止キーS8、カバー開閉検知センサ（図示せず）を備えている。原稿挿入センサS0は、原稿台に挿入した原稿を検出する。原稿サイズセンサS1〜S4は、原稿サイズを検出する。原稿レジストセンサS5は、原稿を検出し、原稿の副走査方向の原稿幅信号を出力する。原稿排出センサS6は、原稿が排出されたことを検出する。緊急停止キーS8は、原稿の搬送を停止する。カバー開閉検知センサは、原稿カバーが開閉したかを検出する。
【００５５】
電源切換部26、27は、電源切換信号出力部124からの電源切換信号により読取部70への電源の供給または遮断を行う。なお、電源切換部26、27は、第一の読取画像処理部21、第二の読取画像処理部22以外に配置してもよい。例えば、電源切換部26、27は、電源部10等に配置してもよい。また、電源切換部26、27を１つにすることもできる。
【００５６】
＜動作モード例＞
次に、図４を参照しながら、本実施形態の画像形成装置100の動作モード例について説明する。図４は、画像形成装置100の各部に電力が供給されるか否かに応じて定まる動作モードの一例を示す図である。
【００５７】
図４では、各部に電力が供給されることを“ON”、供給されないこと（遮断されること）を“OFF”で示す。各部は、上記のとおり、システム制御部12、外部I/F部17、画像書込制御部、読取部70、操作部23である。なお、画像書込機能部は、画像書込処理部15、書込制御部16、ヘッド14、I/O部13の総称である。
【００５８】
プラグインモードは、メインSW11がOFFの状態で、全ての各部に電力が遮断されるモードである。
【００５９】
メインSW立上りモードは、メインSW11をONしてすぐの状態で、全ての各部に電力が供給されるモードである。
【００６０】
スタンバイモードは、読取部70に電力が供給されないモードである。
【００６１】
スキャナモードは、全てに電力が供給されるモードである。
【００６２】
プリント１モードは、読取部70に電力が供給されないモードである。
【００６３】
プリント２モードは、読取部70に電力が供給されず、操作部23の一部（主電源キー）に電力が供給され、それ以外は電力が供給されるモードである。
【００６４】
スリープモードは、システム制御部12の一部（CPU121）と操作部23の一部（主電源キー）と外部I/F部17に電力が供給され、それ以外は電力が供給されないモードである。
【００６５】
＜各モードへの状態遷移＞
次に、図５を参照しながら、各動作モードへの状態遷移について説明する。図５は、各動作モードへの状態遷移と省エネ状態との一例を示す図である。
【００６６】
プラグインモード（S100）は、電源コードが接続され、メインSW11がOFFであるモードである。このプラグインモード（S100）では、全ての電源が遮断された状態となる。
【００６７】
メインSW11をONすることで、画像形成装置100の各部に電源が供給され、電源が供給された後に初期設定が実行される。初期設定が終了されると、読取部70の電源供給が遮断され、コマンド待受状態であるスタンバイモード（S101）に移行される。スタンバイモード（S101）は、省エネ状態１となるモードであり、読取部70の電源供給が遮断された状態となる。
【００６８】
スタンバイモード（S101）において予め設定された時間が経過されると、起動トリガ待受状態であるスリープモード（S102）に移行される。この時の電源は、システム制御部12の一部（CPU121）と外部I/F部17と操作部23の一部（主電源キー）の電源が供給され、その他の電源は、電源部10にて遮断される。スリープモード（S102）は、省エネ状態２となるモードであり、外部I/F部17、操作部23の一部（主電源キー）、システム制御部12の一部（CPU121）のみ電源が供給された状態となる。
【００６９】
スリープモード（S102）において操作部23上の主電源キーを押下することで、スタンバイモード（S101）に移行される。
【００７０】
スリープモード（S102）においてパソコン等による外部装置から印刷コマンドが受信されたら、プリント２モード（S104）に移行され印刷される。このとき、読取部70と操作部23の一部（主電源キー）以外は電源が遮断される。プリントのコマンドが終了したらスリープモード（S102）に移行される。プリント２モード（S104）は、省エネ状態３となるモードであり、読取部70と操作部23の一部（主電源キー）以外は電源が遮断された状態となる。
【００７１】
スタンバイモード（S101）において原稿を挿入すると、読取部70の電源ON制御を実施する。そして、読取部70への電源供給可と判断されたら、読取部70に電源が供給される。その後、スキャナ部2の初期設定を実行し、原稿の読み取りを行うスキャナモード（S105）に移行される。ここでは、全ての電源が供給される。
【００７２】
スタンバイモード（S101）においてコピーを設定した場合、読み取られた画像データの処理が終了したら逐次印刷を実行するプリント１モード（S103）に移行される。プリント１モード（S103）は、省エネ状態１となるモードであり、読取部70の電源供給が遮断された状態となる。
【００７３】
プリント１モード（S103）において原稿の読み取りが終了したら、読取部70の電源が遮断され、プリント出力が終了したらスタンバイモード（S101）に移行される。
【００７４】
本実施形態の画像形成装置100は、複数のモードでいずれかの電源を遮断することで、消費電力の低減を図ることができる。
【００７５】
＜スキャナ部2の動作手順例＞
次に、図６を参照しながら、スキャナ部2の動作手順例について説明する。図６は、スキャナ部2の動作手順例を示す図である。
【００７６】
プラグインモード（図５のS100）においてユーザがメインSW11をONに操作する（ステップS300）。これにより、画像形成装置100の各部に電源の供給が開始される。
【００７７】
読取部70へ電源が供給されると（ステップS301）、スキャナ部2の初期設定判定を行う（ステップS302）。スキャナ部2の初期設定の判定は、読取部70の電源がOFFされた時間である電力停止時間と、所定値と、を比較する（ステップS302）。
【００７８】
電力停止時間＜所定値の場合は、スキャナ部2の初期設定Ａが選択され、スキャナ部2の初期設定が実行されることになる（ステップS303b）。
【００７９】
また、電力停止時間≧所定値の場合は、スキャナ部2の初期設定Ａ＋初期設定Ｂが選択され、スキャナ部2の初期設定が実行されることになる（ステップS303b）。なお、電力停止時間と比較する所定値は、任意に変更可能である。
【００８０】
このとき、スキャナ部2以外の各部に電源が供給され、スキャナ部2の初期設定が実行される。
【００８１】
スキャナ部2の初期設定が終了した場合は、読取部70への電源が遮断され（ステップS304）、スタンバイモード（図５のS101）に移行される（S305）。
【００８２】
スタンバイモード（図５のS101）において、ユーザが原稿挿入口29に原稿を挿入すると、原稿挿入センサS0がONになり原稿を検出する（ステップS306/ON）。原稿挿入センサS0が原稿を検出すると、原稿は、図２の原稿位置１の位置になる。
【００８３】
原稿挿入センサS0がONになり原稿を検出した場合は（ステップS306/ON）、所定時間経過後に原稿搬送モータ24が動作する（ステップS307）。このため、原稿挿入センサS0が原稿を検出してから原稿搬送モータ24が動作するまでの所定時間は、ユーザが自由に原稿の出し入れを行うことができる。この所定時間は、任意に設定変更することが可能である。
【００８４】
原稿搬送モータ24が動作を開始して原稿の搬送を開始すると、原稿レジストセンサS5がONになり原稿レジストセンサS5が原稿を検出するまで原稿を搬送する（ステップS308）。原稿レジストセンサS5が原稿を検出すると、原稿は、図２の原稿位置２の位置になる。原稿搬送モータ24が動作を開始して原稿の搬送を開始してから原稿レジストセンサS5が原稿を検出するまでの間は、ユーザが緊急停止キーS8を押下することで、原稿を停止させて原稿をスキャナ部2から取り除くことができる。
【００８５】
原稿レジストセンサS5がONになり原稿を検出した場合は（ステップS308/ON）、読取部70に電源が供給される（ステップS309）。読取部70に電源が供給された後は、スキャナ部2の初期設定Ａが実行される（ステップS310）。これにより、読取部70で原稿を読み取ることができる。
【００８６】
スキャナ部2の初期設定Ａが終了した場合は、原稿搬送モータ24が動作し、原稿の読取動作が行われる（ステップS311）。原稿の読み取り動作が行われた後に、原稿排出センサS6がONになり原稿を検出した場合は（ステップS312/ON）、原稿搬送モータ24を停止する。そして、予め設定した時間が経過した場合に（ステップS313）、読取部70への電源が遮断される（ステップS314）。原稿排出センサS6が原稿を検出すると、原稿は、図２の原稿位置３の位置になる。
【００８７】
読取部70への電源が遮断されると、スタンバイモード（図５のS101）へ移行される（ステップS315）。
【００８８】
スタンバイモード（図５のS101）は、最長で240分と設定することができ、それ以上経過されると、スリープモード（図５のS102）に自動的に移行される。
【００８９】
光源であるLED光の変動は、長期的には光源が減少して、出力補正が必要となる。しかし、それ程頻繁に調整する必要はない。また、光源のLEDは、周囲温度により光量変動する。しかし、定電流駆動しているので光量の変動幅は小さい。240分は、初期設定Ｂを調整する必要はなく、初期設定Ａのみとする。
【００９０】
本実施形態のスキャナ部2は、図６に示す処理動作を行うことで、メインSW11をONにし（ステップS300）、読取部70に電源を供給してスキャナ部2の初期設定を行う（ステップS303a、S303b）。スキャナ部2の初期設定を行った後は、読取部70への電源供給を遮断し（ステップS304）、スタンバイモード（図５に示すS101）に移行する（ステップS305）。これにより、スタンバイモード（S101）では、読取部70への電源供給を切断しておくことになる。そして、原稿挿入センサS0が原稿を検出してから（ステップS306/ON）、所定時間後に原稿搬送モータ24を動作して原稿の搬送を開始する（ステップS307）。原稿が搬送されて原稿レジストセンサS5が原稿を検出すると（ステップS308/ON）、読取部70への電力供給が開始される（ステップS309）。これにより、ユーザが原稿を原稿台に挿入しても、読取部70に電力供給が行われないため、ユーザが原稿の出し入れを何度行っても、無駄な消費電力を発生させないようにすることができる。また、原稿の挿入が何度も行われても、電源切換部26、27がON/OFFを繰り返さないため、電源切換部26、27の劣化も防止することができる。また、原稿挿入センサS0がONになり原稿を検出した場合は（ステップS306/ON）、所定時間経過後に原稿搬送モータ24が動作する（ステップS307）。このため、原稿挿入センサS0が原稿を検出してから原稿レジストセンサS5が原稿を検出するまでの間は、ユーザが緊急停止キーS8を押下して原稿を停止させ、原稿をスキャナ部2から取り除くことができる。
【００９１】
＜初期設定Ａの処理動作例＞
次に、図７を参照しながら、初期設定Ａの処理動作例について説明する。図７は、初期設定Ａの処理動作例を示す図である。図７の処理は、図６のステップS303a、ステップS303b、ステップS310で行う処理動作例である。
【００９２】
まず、スキャナ部2の異常検出を行う（ステップS400）。例えば、スキャナ部2の第一の読取画像処理部21または第二の読取画像処理部22に搭載されるFPGA（Field Programmable Gate Array）（図示せず）のレジスタアクセス確認を行うことで接続異常の有無を確認する。
【００９３】
次に、スキャナ部2のアナログASIC2121、FPGAのレジスタの初期化を行う（ステップS401）。例えば、第一の読取画像処理部21のAFE212のアナログASIC2121やFPGAのレジスタに初期値を設定する。この初期値は、初期化のための値で変化しない。
【００９４】
次に、第二の読取画像処理部22のASIC223に、メモリ222からブートプログラムをダウンロードし、ブートプログラムを実行する（ステップS402）。ASIC223がブートプログラムを実行すると、ASIC223に初期設定のためのプログラムがメモリ222からダウンロードされる。
【００９５】
次に、第二の読取画像処理部22のASIC223は、各CIS20のR、G、Bそれぞれの読み取り値に基づき調整した感度を補正するパラメータをASIC223のレジスタにセットする（ステップS403）。
【００９６】
次に、第二の読取画像処理部22のASIC223は、白基準板を読み取り、ASIC223のレジスタにシェーディング補正の輝度分布画像をセットし、シェーディングデータの閾値を変更する（ステップS404）。
【００９７】
ここまでが、初期設定Ａである。
【００９８】
次に、初期設定Ｂを実行しなくてもよいように、初期設定Ｂのデータをメモリ222に記憶されている前回の設定情報を第二の読取画像処理部22のASIC223のレジスタに記憶する（ステップS405）。設定情報は、AGC調整値、白レベル調整値、黒レベル調整値である。
【００９９】
なお、読取部70に複数個のCIS20が搭載されている場合、上記初期設定Ａに加えて、第二の読取画像処理部22の主走査方向及び副走査方向の繋ぎ目パラメータの設定も行う。
【０１００】
＜初期設定Ｂの処理動作例＞
次に、図８を参照しながら、初期設定Ｂの処理動作例について説明する。図８は、初期設定Ｂの処理動作例を示す図である。図８の処理動作例は、図６のステップS303aで行う処理動作例である。初期設定Ｂは、スキャナ部2の初期設定Ａが終了した後に行う。
【０１０１】
まず、CIS20の各々の読み取り値が入力信号の大きさに関係なく適切な範囲に入るようにAGC調整を行う（ステップS410）。
【０１０２】
次に、各CIS20の白色基準板が基準値となるようにCIS20の光量を調整する白レベル調整を行う（ステップS411）。
【０１０３】
次に、黒レベル調整を行う（ステップS412）。
【０１０４】
本実施形態の画像形成装置100は、設定情報ＢをASIC223に設定すると共に、メモリ222に記憶する。これにより、初期設定Ｂが終了する。なお、初期設定Ｂは、AGC調整、白レベル調整または黒レベル調整の１つ以上を含めばよい。
【０１０５】
本実施形態の画像形成装置100は、スキャナ部2の初期設定を初期設定Ａと初期設定Ｂとの２つにわけることで、読取画像の品質を維持したまま立上り時間の短縮を図ることができる。
【０１０６】
＜本実施形態の画像形成装置100の作用・効果＞
本実施形態の画像形成装置100は、図６に示すように、原稿台の所定の位置に原稿が置かれたことを原稿挿入センサS0が検出した場合に（ステップS306/ON）、原稿搬送モータ24を動作し（ステップS307）、原稿台の所定の位置に置かれた原稿を搬送する。そして、原稿搬送モータ24により搬送された原稿を原稿レジストセンサS5が検出した場合に（ステップS308/ON）、原稿を読み取る読取部70に電源供給を行う（ステップS309）。これにより、ユーザが原稿を原稿台に挿入しても、読取部70に電力供給が行われない。このため、例えば原稿の位置決めのためにユーザが何度も原稿の出し入れを行う場合でも、無駄な消費電力を発生させないようにすることができる。また、原稿の挿入が何度も行われても、電源切換部26、27がON/OFFを繰り返さないため、電源切換部26、27の劣化も防止することができる。
【０１０７】
また、原稿挿入センサS0がONになり原稿を検出した場合は（ステップS306/ON）、所定時間経過後に原稿搬送モータ24が動作する（ステップS307）。このため、原稿挿入センサS0が原稿を検出してから原稿レジストセンサS5が原稿を検出するまでの間は、ユーザが緊急停止キーS8を押下して原稿を停止させ、原稿をスキャナ部2から取り除くことができる。
【０１０８】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【０１０９】
例えば、上記実施形態の情報処理システムを構成する各装置における制御動作は、ハードウェア、ソフトウェア、あるいは、両者の複合構成を用いて実行することも可能である。
【０１１０】
なお、ソフトウェアを用いて処理を実行する場合には、処理シーケンスを記録したプログラムを、専用のハードウェアに組み込まれているコンピュータ内のメモリにインストールして実行させることが可能である。あるいは、各種処理が実行可能な汎用コンピュータ内のメモリにインストールして実行させることが可能である。
【０１１１】
例えば、プログラムは、記録媒体としてのハードディスクやROM（Read Only Memory）に予め記録しておくことが可能である。あるいは、プログラムは、リムーバブル記録媒体に一時的、あるいは、永続的に格納（記録）しておくことが可能である。このようなリムーバブル記録媒体は、いわゆるパッケージソフトウエアとして提供することが可能である。リムーバブル記録媒体は、磁気ディスク、半導体メモリなどの各種記録媒体があげられる。
【０１１２】
なお、プログラムは、上述したようなリムーバブル記録媒体からコンピュータにインストールすることになる。また、ダウンロードサイトからコンピュータに無線転送することになる。また、ネットワークを介してコンピュータに有線で転送することになる。
【０１１３】
また、上記実施形態の情報処理システムを構成する各装置は、上記実施形態で説明した処理動作に従って時系列的に処理を実行するだけに限定するものでない。例えば、処理を実行する装置の処理能力、あるいは、必要に応じて並列的にあるいは個別に処理を実行するように構築することも可能である。
【符号の説明】
【０１１４】
１    プロッタ部
２    スキャナ部
１２    システム制御部
４    ヘッド
２０    ＣＩＳ（密着センサ）
２１    第一の読取画像処理部
２２    第二の読取画像処理部
２３    操作部
２４    原稿搬送モータ
２５    スキャナセンサ部
２６、２７    電源切換部
２８    原稿台
３０    原稿押さえ板
４０    給紙部、
４１ａ、４１ｂ、４２ａ、４２ｂ、４３    給紙ローラ
４６    レジストモータ
４７    キャリッジ
４８ａ、４８ｂ、４９ａ、４９ｂ    排紙ローラ
５０    カッター
６０    画像形成部
７０    読取部
１００    画像形成装置
【先行技術文献】
【特許文献】
【０１１５】
【特許文献１】特開２００６−２１７０７５号公報
【特許文献２】特開２０１１−２１５５９５号公報
【図１】
2014138237.tif 000003
【図２】
2014138237.tif 000004
【図３】
2014138237.tif 000005
【図４】
2014138237.tif 000006
【図５】
2014138237.tif 000007
【図６】
2014138237.tif 000008
【図７】
2014138237.tif 000009
【図８】
2014138237.tif 000010